(57)【特許請求の範囲】
【請求項１】
コンテンツ再生装置と通信可能に構成されたソース機器であって、
片手でハンドリング可能な機器本体と、
前記機器本体に設けられた操作部と、を備え、
前記操作部は、前記機器本体の表面に窪入形成される共に、円弧状の凸断面を有して円環状に形成された回転操作用の表操作子を有していることを特徴とするソース機器。
【請求項２】
前記操作部は、前記機器本体の裏面に窪入形成される共に、円弧状の凸断面を有して円環状に形成された回転操作用の裏操作子を、更に有していることを特徴とする請求項１に記載のソース機器。
【請求項３】
前記表操作子および前記裏操作子は、同一形状であって、相互の内周面が前記機器本体を貫通する貫通開口となるように、背合わせの状態で一体に形成されていることを特徴とする請求項２に記載のソース機器。
【請求項４】
前記表操作子と前記裏操作子とは、静電センサーを有する単一の操作子で構成されていることを特徴とする請求項３に記載のソース機器。
【請求項５】
前記機器本体は、表裏方向から見て、長手方向の両端部をそれぞれ半円部とする長円形に形成され、
前記表操作子および前記裏操作子は、一方の前記半円部と同心上に配設されていることを特徴とする請求項３に記載のソース機器。
【請求項６】
前記機器本体の外周面に設けられ、前記機器本体をイルミネーションするイルミネーション照明を、更に備えたことを特徴とする請求項５に記載のソース機器。
【請求項７】
請求項３に記載のソース機器と、
前記ソース機器の前記コンテンツ情報を再生するコンテンツ再生装置と、を備えたことを特徴とする再生システム。
【請求項８】
前記コンテンツ再生装置は、
上面に、前記ソース機器が通信可能に載置されるホームオーディオであることを特徴とする請求項７に記載の再生システム。
【請求項９】
前記コンテンツ再生装置は、
前記貫通開口を介して、前記ソース機器が通信可能に装着されるカーオーディオであることを特徴とする請求項７に記載の再生システム。
【請求項１０】
前記ソース機器を、ステアリングの内側に取り付けるためのステアリングホルダーを、更に備え、
前記ステアリングホルダーは、前記貫通開口を介して、前記ソース機器が装着される装着突起部を有していることを特徴とする請求項９に記載の再生システム。
【請求項１１】
前記コンテンツ再生装置は、前記ソース機器と通信可能なヘッドホンであることを特徴とする請求項７に記載の再生システム。
【請求項１２】
前記ソース機器を、腕時計の形態で手首に取り付けるためのリストバンドを、更に備え、
前記リストバンドは、前記貫通開口を介して、前記ソース機器が装着される円形突起部を有していることを特徴とする請求項７に記載の再生システム。
【発明の詳細な説明】
【技術分野】
【０００１】
本発明は、操作部を有し、コンテンツ再生装置と通信可能に構成されたハンディタイプのソース機器およびこれを備えた再生システムに関するものである。
【背景技術】
【０００２】
従来、純然たるソース機器ではないが、表面に操作部を有するメモリーカード再生表示装置が知られている（特許文献１参照）。このメモリーカード再生表示装置は、半導体メモリーカードに記録されているビジュアルデータおよび音声データーを再生するものであり、矩形扁平の外装ケースと、外装ケースの表面に大きく設けた表示部と、外装ケースの右部に設けられたハンドリングのための把持部と、把持部の側面に設けられ、半導体メモリーカードが挿入される３つのスロットと、を備えている。また、把持部には、楕円形に窪入形成された操作部が設けられている。そして、操作部には、再生操作のための再生指示ボタン、停止用ボタン、順方向サーチボタンおよび逆方向サーチボタンが、周方向に角度９０°のピッチで配置されている。
これにより、装置を把持したまま、ビジュアルデータを手軽に再生して楽しむことができ、且つ再生操作を片手で良好に行うことができる。
【先行技術文献】
【特許文献】
【０００３】
【特許文献１】特開２００１−１０３４１６号公報
【発明の概要】
【発明が解決しようとする課題】
【０００４】
ところで、再生操作において、ボリューム等の操作では、回転等のアナログ的操作が操作感として好ましく、再生操作自体を楽しむことができる。
この点において、上記従来のメモリーカード再生表示装置では、装置を把持したまま再生操作を行うことができるものの、操作部が冠球状に窪入形成されているため、ＰＵＳＨ−ＰＵＬＬ的な操作は可能であるが、回転操作は不向きである。すなわち、操作部が冠球状に窪入形成されていると、操作部が邪魔にならない利点はあるものの、操作子を回転操作するためには、親指をひねって回転させるか、親指を立てて回す動作をせざるを得ず、人間工学的に極めて操作性の劣るものとなってしまう。
【０００５】
本発明は、装置本体を片手でハンドリングした状態で、円滑な回転操作が可能な操作子を有するソース機器およびこれを備えた再生システムを提供することを課題としている。
【課題を解決するための手段】
【０００６】
本発明のソース機器は、コンテンツ再生装置と通信可能に構成されたソース機器であって、片手でハンドリング可能な機器本体と、機器本体に設けられた操作部と、を備え、操作部は、機器本体の表面に窪入形成される共に、円弧状の凸断面を有して円環状に形成された回転操作用の表操作子を有していることを特徴とする。
【０００７】
この構成によれば、回転操作用の表操作子が円環状に形成されているため、機器本体を片手で把持（ハンドリング）したまま、表操作子の表面を親指等でなぞるようにすることで、回転操作を操作感良く、簡単に行うことができる。また、その際、表操作子は、円弧状の凸断面を有しているため、円環状の表操作子には指の膨らみ部分（指の腹）が接触するため、表操作子が、機器本体の表面に窪入形成されていても、操作性が悪化することはなく、円滑且つ確実に再生操作を行うことができる。なお、表操作子は、回転の度合いが検出できれば、物理的に回転可能であってもよいし、回転不能であってもよい。
【０００８】
この場合、操作部は、機器本体の裏面に窪入形成される共に、円弧状の凸断面を有して円環状に形成された回転操作用の裏操作子を、更に有していることが好ましい。
【０００９】
この構成によれば、裏操作子により、機器本体の裏側からも表側と同様に再生操作を行うことができる。この場合も、表操作子と同様に、円滑且つ確実に再生操作を行うことができる。なお、この場合も、裏操作子は、回転の度合いが検出できれば、物理的に回転可能であってもよいし、回転不能であってもよい。
【００１０】
この場合、表操作子および裏操作子は、同一形状であって、相互の内周面が機器本体を貫通する貫通開口となるように、背合わせの状態で一体に形成されていることが好ましい。
【００１１】
この構成によれば、表操作子および裏操作子の中心部分が貫通開口となっているため、回転操作する指の自由度が増し、操作性をより一層向上させることができる。また、貫通開口を利用して、ソース機器を掛止めしたり係止する部分として利用することができる。表操作子および裏操作子を、ソース機器のデザインとして生かすことができる。
【００１２】
そして、表操作子と裏操作子とは、静電センサーを有する単一の操作子で構成されていることが好ましい。
【００１３】
この構成によれば、操作性を損なうことなく、表操作子および裏操作子を単純な構造とすることができる。
【００１４】
また、機器本体は、表裏方向から見て、長手方向の両端部をそれぞれ半円部とする長円形に形成され、表操作子および裏操作子は、一方の半円部と同心上に配設されていることが好ましい。
【００１５】
この構成によれば、ソース機器自体を円を基調とする独自のデザインとすることができ、操作性とデザイン性とを併せ持たせることができる。
【００１６】
さらに、機器本体の外周面に設けられ、機器本体をイルミネーションするイルミネーション照明を、更に備えることが好ましい。
【００１７】
この構成によれば、デザイン性を向上させることができる。また、イルミネーション照明を、再生する楽曲等に色変化させるようにすれば、再生操作自体を楽しむことができる。
【００１８】
本発明の再生システムは、上記したソース機器と、ソース機器のコンテンツ情報を再生するコンテンツ再生装置と、を備えたことを特徴とする。
【００１９】
この場合、コンテンツ再生装置は、上面に、ソース機器が通信可能に載置されるホームオーディオであることが好ましい。
【００２０】
この構成によれば、ソース機器は携帯することを前提として構成し、ソース機器に記憶されている音楽、画像。映像等を、コンテンツ再生装置（ホームオーディオ）において本格的に再生し楽しむことができる。また、複数のソース機器で、単一のコンテンツ再生装置を利用すれば、複数人の持つコンテンツを全員で楽しむことができる。
【００２１】
また、コンテンツ再生装置は、貫通開口を介して、ソース機器が通信可能に装着されるカーオーディオであることが好ましい。
【００２２】
この構成によれば、ソース機器は携帯することを前提として構成し、ソース機器に記憶されている音楽、画像。映像等をカーオーディオで本格的に再生し楽しむことができる。この場合も、複数のソース機器で、単一のコンテンツ再生装置を利用すれば、複数人の持つコンテンツを全員で楽しむことができる。
【００２３】
この場合、ソース機器を、ステアリングの内側に取り付けるためのステアリングホルダーを、更に備え、ステアリングホルダーは、貫通開口を介して、ソース機器が装着される装着突起部を有していることが好ましい。
【００２４】
この構成によれば、ステアリングホルダーを介して、ソース機器をステアリングに取り付けることができ、ユーザーは、運転しながら再生操作を行うことができる。
【００２５】
また、コンテンツ再生装置は、ソース機器と通信可能なヘッドホンであることが好ましい。
【００２６】
この構成によれば、ソース機器は携帯することを前提として構成し、ソース機器に記憶されている音楽、画像。映像等をヘッドホンで本格的に再生し楽しむことができる。
【００２７】
一方、ソース機器を、例えば、腕時計の形態で手首に取り付けるためのリストバンドを、更に備え、リストバンドは、貫通開口を介して、ソース機器が装着される円形突起部を有していることが好ましい。
【００２８】
この構成によれば、ソース機器を、ユーザーの体の一部に巻きつけるように装着して持ち歩くことができる。
【図面の簡単な説明】
【００２９】
【図１】実施形態に係る再生システムのシステム構成図である。
【図２】実施形態に係るソース機器の外観斜視図である。
【図３】実施形態に係るソース機器の正面図（ａ）、背面図（ｂ）および側面図（ｃ）である。
【図４】実施形態に係るソース機器の制御ブロック図である。
【図５】実施形態に係るリストバンドの外観斜視図である。
【図６】実施形態に係るホームオーディオの外観斜視図である。
【図７】実施形態に係るホームオーディオの正面図（ａ）および側面図（ｂ）である。
【図８】実施形態に係るホームオーディオの制御ブロック図である。
【図９】実施形態に係るカーオーディオの正面図である。
【図１０】実施形態に係るカーオーディオの制御ブロック図である。
【図１１】実施形態に係るステアリングホルダーの外観模式図である。
【図１２】実施形態に係るヘッドホンの外観模式図である。
【図１３】実施形態に係るヘッドホンの制御ブロック図である。
【発明を実施するための形態】
【００３０】
以下、添付の図面を参照して、本発明の一実施形態に係るソース機器およびこれを備えた再生システムについて説明する。この再生システムは、コンテンツを記憶するハンディタイプのソース機器と、ホームオーディオ等のコンテンツ再生機器と、各種アタッチメント等とを組み合わせものであり、ソース機器に記憶したコンテンツ情報を、場所を選ばず、また単一のユーザーは元より複数にユーザーも同時に再生し、楽しみ得るように構成されている。
【００３１】
図１は、再生システムのシステム構成図であり、同図に示すように、この再生システム１は、コンテンツ情報を記憶するソース機器２と、ソース機器２のコンテンツ情報を再生するホームオーディオ３、カーオーディオ４およびヘッドホン５とで構成されている。この場合、家庭内でのコンテンツ情報の再生はホームオーディオ３が、自動車内でのコンテンツ情報の再生はカーオーディオ４が、さらに街頭や電車内でのコンテンツ情報の再生はヘッドホン５が、それぞれ担う構成となっている。また、アタッチメントとして、ソース機器２の持ち運び（携帯）を考慮してリストバンド７が、自動車内でのソース機器２の操作性を考慮してステアリングホルダー８が、それぞれ用意されている。すなわち、この再生システム１では、好みのコンテンツ情報を、ユーザーの生活のあらゆる場面で再生可能とし、楽しむことができるように設計されている。
【００３２】
図２および図３は、再生システム１の中核を為すソース機器２の構造図であり、同図に示すように、ソース機器２は、片手でハンドリング可能な機器本体１１と、機器本体１１の右部に配置した回転操作用のリング操作部１２（操作子）と、機器本体１１の外周面に設けたイルミネーション部１３と、を備えている。機器本体１１は、表裏を有する長円形の扁平な筐体１５と、筐体１５の表面の左部に大きく設けたタッチパネル構成の小型ディスプレイ１６と、筐体１５の裏面中央に大きく設けたセンサー部１７と、で構成されている。なお、センサー部１７は、脈拍数や体温を検出する人体検出センサーで構成されている。また、請求項に言う「操作部」は、上記のリング操作部１２および小型ディスプレイ１６に表示される再生ボタン等から構成されている。
【００３３】
筐体１５には、右側端の外観を構成する半円部と同心となるように開口部１５ａが形成され、この開口部１５ａに嵌め込むようにして、リング操作部１２が配設されている。また、筐体１５には、円弧状断面の外周面における上下中間部に環状溝１５ｂが形成されており、この環状溝１５ｂに嵌め込むようにして、イルミネーション部１３が配設されている。イルミネーション部１３は、発光ダイオードのアレイを内蔵したイルミネーション照明で構成されている。このように、ソース機器２の外観は、片手で違和感無くハンドリングできると共に、円を基調とする丸みを強調したデザインとなっている。
【００３４】
リング操作部１２は、メタリックの円環状に形成された操作リング１９と、操作リング１９に内蔵された静電センサー２０（図４参照）とで構成され、機器本体１１の表側および裏側から操作可能に構成されている。このため、操作リング１９は、機器本体１１（筐体１５）の表面および裏面から僅かに窪入するように形成され、且つその断面が内向きの半円形に形成されている。ユーザーは、機器本体１１を片手でハンドリング（把持）し、親指または人差し指を操作リング１９に宛がい、その内周面をなぞるようにして操作する。この場合、操作リング１９は半円形の内向きの凸部となっており、親指または人差し指の膨らみ部分（指の腹）を接触させて操作することになる。一方、静電センサー２０は、操作リング１９の内周面において、親指または人差し指の接触点の連続的に位置を検出し、その検出結果を後述する制御部２３に出力する。
これらの操作リング１９を操作することで、再生コンテンツの音量調整、再生速度の調整、コンテンツのキー調整、再生コンテンツに加えるエフェクト信号の強弱の調整、早送り／巻き戻し、コンテンツの選択などを行ない得るように、操作リング１９の検出結果をもとに制御部２３で制御を行う。
このように、ユーザの指先でのコンテンツ操作を行なう感覚をもった操作リング１９となっている。
【００３５】
また、リング操作部１２（操作リング１９）の中心部分には、機器本体１１（筐体１５）を表裏に貫通する貫通開口２１が形成されており、この貫通開口２１により、ソース機器２が、カーオーディオ４、リストバンド７およびステアリングホルダー８にそれぞれ装着できるようになっている（詳細は後述する。）。なお、リング操作部１２は、機器本体１１の表側から操作するための表操作部と裏側の操作するための裏操作部と、で別体構成とすることも可能であり、また表操作部のみであっても良い。また、リング操作部１２を、物理的に回転する構造としてもよい。
【００３６】
図４は、ソース機器２の制御ブロック図であり、同図に示すように、ソース機器２は、制御部２３、リング操作部１２、メモリー２４、小型ディスプレイ１６（タッチパネル）、電源部２５および無線通信部２６を備え、これらはバスＢ１を介して接続されている。また、ソース機器２は、ＲＦＩＤ（Radio  Frequency  Identification）２７を備えている。ＲＦＩＤ２７は、ホームオーディオ３、カーオーディオ４またはヘッドホン５によって、ソース機器２との離間距離を測定するために用いられる。
【００３７】
制御部２３は、ＣＰＵ（Central  Processing  Unit）、ＲＯＭ（Read  Only  Memory）、ＲＡＭ（Random  Access  Memory）等から成り（いずれも図示省略）、ハードウェア部内の各部を制御する。リング操作部１２は、静電式センサーであり、ＢＰＭや曲調を変更するために用いられる。メモリー２４は、コンテンツ情報および設定情報を記憶する。コンテンツ情報としては、楽曲データそのものを指すコンテンツと、その付随情報を記憶する。付随情報とは、楽曲データの解析情報（ＢＰＭ、ＫＥＹ、ジャンル情報など）やメタ情報（アーティスト名、タイトル名、アルバム名、アルバムアートワークなど）を指す。一方、設定情報としては、各種オーディオ設定（複数スピーカーの音量バランス、イコライザーカーブ、再生方法（繰り返し再生、ランダム再生など）、カットオフ周波数などを指す。
【００３８】
小型ディスプレイ１６（タッチパネル）は、再生中のコンテンツについて、再生情報、再生操作子群およびコンテンツ画像を表示する。電源部２５は、二次電池を主要部とし、ソース機器２内の各部に電力を供給する。また、電源部２５は、ソース機器２がホームオーディオ３の上に載置されるか、またはカーオーディオ４のドック（機器装着溝部７３）に装着されることにより充電される。無線通信部２６は、無線通信を介し、各再生機器（ヘッドホン５、ホームオーディオ３、カーオーディオ４）と情報の授受を行う。なお、ソース機器２から各再生機器への音声信号（楽曲データ）の出力は、アナログ信号として出力しても良いし、デジタル信号として出力しても良い。
【００３９】
なお、図４では省略したが、上記のバスＢ１には、イルミネーション部１３が接続されており、制御部２３は、上記の楽曲データの解析情報等により、イルミネーション照明を、点滅、回転点滅、照明色変更等の制御を行う。同様に、上記のバスＢ１には、センサー部１７が接続されており、制御部２３は、センサー部１７による脈拍数の検出や体温の検出に基づいて、ユーザーの感情を把握し、これを楽曲データの解析情報に反映させる。
【００４０】
図５は、リストバンド７の構造図であり、同図に示すように、リストバンド７は、いわゆるシリコンバンドで構成された帯状のバンド本体３１と、バンド本体の表面に突設した円形突起部３２と、で構成されている。円形突起部３２は、弾性材料で構成されており、これにソース機器２の貫通開口２１が嵌合する。すなわち、ソース機器２は、貫通開口２１の部分でリスバンド７の円形突起部３２に着脱自在に装着され、腕時計の形態で手首に取り付けて携帯する可能となっている。
【００４１】
図６および図７は、ホームオーディオ３の構造図であり、同図に示すように、ホームオーディオ３は、ソース機器２とリンクするコンテンツ再生部４１と、コンテンツ再生部４１の出力部を構成するスピーカー部４２と、コンテンツ再生部４１およびスピーカー部４２を下側から支持するように収容する装置ケース４３と、装置ケース４３が着座する台座部４４と、で構成されている。また、スピーカー部４２には、左右一対のスピーカー４５，４５が内蔵されている。コンテンツ再生部４１、スピーカー部４２および装置ケース４３は、一体に形成され、且つ一体のものとしてデザインされている。
【００４２】
コンテンツ再生部４１は、上方から見て長円形に形成され、スピーカー部４２は、コンテンツ再生部４１を同一の中心軸上に内包するように、上方から見て長円形に形成されている。また、コンテンツ再生部４１の上面は、タッチパネル４６となる平坦なタッチスクリーンで構成される一方、スピーカー部４２の上面は、平坦な上出力面４２ａを構成している。そして、コンテンツ再生部４１の上面（タッチパネル４６の表示面）と、スピーカー部４２の上面（上出力面４２ａ）とは、ほぼ面一に配置されている。したがって、ホームオーディオ３は、長円形のテーブルをイメージした特異なデザインとなっている。
【００４３】
装置ケース４３は、スピーカー部４２の直下に位置し、エンクロージャーの機能を兼ねる平板状ケース部５１と、コンテンツ再生部４１の直下に位置し、コンテンツ再生部４１の下側ケースを構成する碗状ケース部５２と、で一体に形成されている。平板状ケース部５１は、スピーカー部４２に内蔵した一対のスピーカー４５，４５に対応して、下向きの一対の下出面４２ｂ，４２ｂを有している。また、碗状ケース部５２の下面には、前後方向に延在する左右一対の円弧状突起５３，５３が突設されている。
【００４４】
一方、台座部４４は、上方から見て円形に形成され、その上面は、碗状ケース部５２の下面と相補的形状に形成されている。また、台座部４４の上面には、上記の円弧状突起５３が嵌まり込む左右一対の円弧状溝５４，５４が形成されている。台座部４４に対し装置ケース４３は、その碗状ケース部５２の部分で着脱自在に構成され、且つ円弧状突起５３および円弧状溝５４の協働により、前後方向に傾動自在に構成されている。すなわち、テーブル状に一体に形成された装置ケース４３、スピーカー部４２およびコンテンツ再生部４１は、台座部４４に対し前下がり（先上がり）に傾けて設置できるようになっている。
【００４５】
上述のように、スピーカー部４２には、水平姿勢で配置した無指向性の左右一対のスピーカー４５，４５が内蔵されている。各スピーカー４５は、上下に音放射面４５ａ，４５ｂを位置させた平面スピーカーで構成されている。平面スピーカーは、例えば表裏（上下）一対の振動板を有し、磁気回路に連結した駆動部と一対の振動板とを振動伝達リンクで接合して、構成されている。そして、振動板で構成された上側の音放出面４５ａは、上記の上出力面４２ａに下側から対峙し、下側の音放射面４５ｂは、上記の下出力面４２ｂに上側から対峙している。これにより、上出力面４２ａおよび一対の下出力面４２ｂ，４２ｂから放射される音の音放射特性は、縦置きのスピーカーに比しても遜色ないものとなっている。
【００４６】
コンテンツ再生部４１は、上面全域が長円形のタッチパネル４６（タッチスクリーン）で構成されており、タッチパネル４６には、その右寄りの部分に位置して、ソース機器２のリング操作部１２と同一のサブ操作部５６が埋め込むように配設されている。上述のように、コンテンツ再生部４１に対しソース機器２は、所定の距離近付けることにより通信可能となるが、タッチパネル４６上に載置して通信を行う基本仕様となっている。実施形態のコンテンツ再生部４１では、ソース機器２をタッチパネル４６上に載置すると、タッチパネル４６には、ソース機器２の操作画面が、ソース機器２に代えて大きく円形の枠で囲って表示され、タッチパネル４６上でも再生操作が可能となる。このように操作画面を円形の枠で囲って表示するようにしているため、コンテンツ再生部４１は、ターンテーブルのイメージとなる。
【００４７】
図８は、ホームオーディオ３の制御ブロック図であり、同図に示すように、ホームオーディオ３は、制御部６１、タッチパネル４６、ＲＦＩＤ読取部６２、ＤＳＰ６３、アンプ６４、スピーカー４５、電源部６５、無線通信部６６および充電部６７を備え、これらはバスＢ２を介して接続されている。
【００４８】
制御部６１は、ＣＰＵ、ＲＯＭ、ＲＡＭ等から成り、ホームオーディオ３内の各部を制御する。タッチパネル４６は、ソース機器２が載置された場合に（ソース機器２との通信可能状態において）、再生操作領域（円形の枠）、再生情報、操作子群、音量操作子、コンテンツ画像などを表示する。ＲＦＩＤ読取部６２は、ソース機器２に設けられたＲＦＩＤ２７を読み取る。ＤＳＰ（Digital  Signal  Processor）６３は、音声信号処理を行い、アンプ６４は、ＤＳＰ６３による音声処理後の音声信号を増幅する。スピーカー４５は、２個の無指向性平面スピーカーから成り、増幅後の音声信号を出力する。電源部６５は、ＡＣ電源６８から電源供給を受け、ホームオーディオ３内の各部に電力を供給する。
【００４９】
無線通信部６６は、ソース機器２およびヘッドホン５と情報の授受を行う。充電部６７は、ソース機器２に対し電磁誘導により非接触充電を行う。特に図示しないが、複数個の電源コイルアレイが、タッチパネル４６の裏側に設けられおり、ソース機器２の配置に応じて、各電源コイルアレイが適切な場所に移動する（ムービングコイル方式）。これにより、複数台の同時充電が可能であると共に、ソース機器２の配置自由度を高めることができる（タッチパネル４６上であればどこにソース機器２が配置されても充電を行うことができる）。
【００５０】
図９は、カーオーディオ４の正面図であり、同図に示すように、カーオーディオ４は、自動車のダッシュボードに埋め込まれており、長円形に突出した突出パネル部７２を有するフロントパネル７１を備えている。突出パネル部７２には、ソース機器２が装着される機器装着溝部７３（ドック）が窪入形成されている。機器装着溝部７３は、ソース機器２が嵌まり込むようにソース機器２の外観形状と相補的形状に形成されている。また、機器装着溝部７３には、ソース機器２の貫通開口２１が係合する円形の突部７４が形成されている。さらに、突出パネル部７２には、機器装着溝部７３を除く部分に、広くタッチパネル構成のディスプレイ７５が設けられている。
【００５１】
この場合も、カーオーディオ４に対しソース機器２は、所定の距離近付けることにより通信可能となるが、フロントパネル７１の機器装着溝部７３に装着して通信を行う基本仕様となっている。ソース機器２の機器装着溝部７３への装着では、貫通開口２１を円形の突部７４に位置合わせして装着され、これにより、ソース機器２は、その表面が正面を向いた装着状態となる。そして、ソース機器２をカーオーディオ４に装着し再生を開始すると、ディスプレイ７５には、再生情報およびコンテンツ画像等が表示される。
【００５２】
図１０は、カーオーディオ４の制御ブロック図である。カーオーディオ４は、制御部８１、ディスプレイ７５、ＲＦＩＤ読取部８２、ＤＳＰ８３、アンプ８４、音声出力部８５、電源部８６、無線通信部８７および充電部８８を備え、これらはバスＢ３を介して接続されている。
【００５３】
制御部８１は、ＣＰＵ、ＲＯＭ、ＲＡＭ等から成り、カーオーディオ４内の各部を制御する。ディスプレイ７５は、ソース機器２との通信時（コンテンツ再生時）に、再生情報およびコンテンツ画像を表示する。ＲＦＩＤ読取部８２は、ソース機器２に設けられたＲＦＩＤ２７を読み取る。ＤＳＰ８３は、音声信号処理を行い、アンプ８４は、ＤＳＰ８３による音声処理後の音声信号を増幅する。音声出力部８５は、増幅後の音声信号を、車内の数箇所に配置された各スピーカー８９に出力する。電源部８６は、バッテリー電源９０から電源供給を受け、カーオーディオ４０内の各部に電力を供給する。
【００５４】
無線通信部８７は、ソース機器２およびヘッドホン５と情報の授受を行う。また、リモコン９１からの操作信号を受信する。なお、リモコン９１からは赤外線通信により操作信号を受信しても良い。充電部８８は、ソース機器２に対し電磁誘導により非接触充電を行う。特に図示しないが、カーオーディオ４のドック（機器装着溝部７３）の裏側には、１個の電源コイルアレイが固定配置されている。なお、カーオーディオ４も、ホームオーディオ３と同様に複数台の同時充電を可能としても良い。
【００５５】
図１１は、ステアリングホルダー８の外観模式図であり、同図に示すように、ステアリングホルダー８は、自動車のステアリングＳ（ハンドル）に装着する「Ｕ」字状のばね装着部１０１と、ばね装着部１０１からステアリングＳの内側に延びるホルダ部１０２と、を備えている。ホルダ部１０２の正面には、上下方向に位置ズレして装着突起１０３が設けられている。装着突起１０３は、弾性材料で構成されており、これにソース機器２の貫通開口２１が嵌合する。すなわち、ソース機器２は、貫通開口２１の部分でステアリングホルダー８の装着突起１０３に着脱自在に装着され、ステアリングＳを握ったユーザーが手元で再生操作できるようになっている。
【００５６】
図１２は、ヘッドホン５の外観模式図であり、同図に示すように、ヘッドホン５は、逆「Ｕ」字状のヘッドベルト１１１と、ヘッドベルト１１１の両端内側に設けたスピーカー内蔵の一対のグリル１１２，１１２と、を備えている。また、ヘッドベルト１１１の一方（右側）の端部には、外側の面にソース機器２のリング操作部１２と同一のサブ操作部１１３が取り付けられている。ユーザーは、サブ操作部１１３により、ＢＰＭや曲調を直接操作することができる。この場合には、ヘッドホン５に対しソース機器２は、所定の距離近付けることにより通信可能となる（コンテンツ情報の授受）。
【００５７】
図１３は、ヘッドホン５の制御ブロック図である。ヘッドホン５は、制御部１１５、サブ操作部１１３、ＤＳＰ１１６、アンプ１１７、スピーカー１１８、無線通信部１１９および電源部１２０を備え、これらはバスＢ４を介して接続されている。
【００５８】
制御部１１５は、ＣＰＵ、ＲＯＭ、ＲＡＭ等から成り、ヘッドホン５内の各部を制御する。サブ操作部１１３は、ソース機器２のリング操作部１２と同様の構成および機能を有する。ＤＳＰ１１６は、音声信号処理を行うマイクロプロセッサーであり、ソース機器２から圧縮された楽曲データが転送された場合、これをデコードするデコード処理および、楽曲の切替時におけるクロスフェード処理などを行う。アンプ１１７は、ＤＳＰ１１６による音声処理後の音声信号を増幅する。スピーカー１１８は、両耳用の２個の小型スピーカーから成り、増幅後の音声信号を出力する。無線通信部１１９は、無線通信を介し、ソース機器２および他の再生機器（ホームオーディオ３、カーオーディオ４）と情報の授受を行う。電源部１２０は、乾電池を主要部とし、ヘッドホン５内の各部に電源を供給する。
【００５９】
以上のように本実施形態によれば、ソース機器２において、リング操作部１２が円環状に形成されているため、機器本体１１を片手で把持（ハンドリング）したまま、リング操作部１２の回転操作を、表裏いずれからも無理無く簡単に行うことができる。また、その際、リング操作部１２は、半円状断面を有しているため、リング操作部１２が機器本体１１の表面に窪入形成されていても、操作性が悪化することはなく、円滑且つ確実に再生操作を行うことができる。
また、ソース機器をコンテンツ供給源とし、これにホームオーディオ３、カーオーディオ４、ヘッドホン５等を組み合わせて再生システム１を構築することで、好みのコンテンツ情報を、ユーザーの生活のあらゆる場面で且つ複数人で、適宜再生して楽しむことができる。
なお、本発明におけるコンテンツは、音楽や画像の他、映像であってもよい。
【符号の説明】
【００６０】
１  再生システム、２  ソース機器、３  ホームオーディオ、４  カーオーディオ、５  ヘッドホン、７  リストバンド、８  ステアリングホルダー、１１  機器本体、１２  リング操作部、１３  イルミネーション部、１９  操作リング、２０  静電センサー、２１  貫通開口、２３  制御部、２４  メモリー、２５  電源部、２６  無線通信部、３１  バンド本体、３２  円形突起部、４１  コンテンツ再生部、４２  スピーカー部、４６  タッチパネル、６１  制御部、６６無線通信分、６７  充電部、７３  機器装着溝部、７４  突部、７５  ディスプレイ、８１  制御部、８７  無線通信部、１０１  ばね装着部、１０２  ホルダ部、１０３  装着突起、１１１  ヘッドベルト、１１２  グリル、１１５  制御部、１１９  無線通信部、Ｓ  ステアリング
【図１】
0005755549.tif 000002
【図２】
0005755549.tif 000003
【図３】
0005755549.tif 000004
【図４】
0005755549.tif 000005
【図５】
0005755549.tif 000006
【図６】
0005755549.tif 000007
【図７】
0005755549.tif 000008
【図８】
0005755549.tif 000009
【図９】
0005755549.tif 000010
【図１０】
0005755549.tif 000011
【図１１】
0005755549.tif 000012
【図１２】
0005755549.tif 000013
【図１３】
0005755549.tif 000014